【手続補正書】
【提出日】平成17年7月15日(2005.7.15)
【手続補正１】
【補正対象書類名】明細書
【補正対象項目名】発明の名称
【補正方法】変更
【補正の内容】
【発明の名称】放射線撮像装置、放射線撮像システム及びコンピュータプログラム
【手続補正２】
【補正対象書類名】明細書
【補正対象項目名】特許請求の範囲
【補正方法】変更
【補正の内容】
【特許請求の範囲】
【請求項１】
被写体を透過した放射線を電気信号として検出する複数の放射線検出素子が配置された放射線検出手段と、
前記放射線検出手段で電気信号として検出された前記被写体の放射線画像を所定のフレームレートで複数フレームの連続した画像として撮影し、前記複数フレームの連続した画像のうち、第１のエネルギーを有する放射線によって取得された第１の画像と前記第１のエネルギーと異なる第２のエネルギーを有する放射線によって取得された第２の画像とを用いてサブトラクション処理を施すことにより得られた処理画像と、前記第１の画像もしくは前記第２の画像のいずれかの画像と、を同期させて表示装置に表示させる画像表示制御手段と
を有することを特徴とする放射線撮像装置。
【請求項２】
前記画像表示制御手段は、前記第１の画像又は前記第２の画像に対して階調変換処理もしくはエッジ強調処理を行った後に、前記サブトラクション処理を施すことを特徴とする請求項１に記載の放射線撮像装置。
【請求項３】
前記放射線検出素子は、放射線を可視光に変換する波長変換体と、前記波長変換体で変換された可視光を電気信号に変換する光電変換素子とを含み構成されていることを特徴とする請求項１又は２に記載の放射線撮像装置。
【請求項４】
前記波長変換体は、Ｇｄ2Ｏ2Ｓ、Ｇｄ2Ｏ3、ＣｓＩのいずれかを主成分とするものであることを特徴とする請求項３に記載の放射線撮像装置。
【請求項５】
前記光電変換素子は、アモルファスシリコン半導体を用いたＭＩＳ型センサ又はＰＩＮ型センサであることを特徴とする請求項３又は４に記載の放射線撮像装置。
【請求項６】
前記ＭＩＳ型センサは、下部電極として形成された第１の金属薄膜層と、当該第１の金属薄膜層上に形成され、エレクトロン及びホールの通過を阻止するアモルファス窒化シリコンからなる絶縁層と、当該絶縁層上に形成された水素化アモルファスシリコンからなる光電変換層と、当該光電変換層上に形成され、ホールの注入を阻止するＮ型の注入阻止層と、当該注入阻止層上に上部電極として形成された透明導電層又は当該注入阻止層上の一部に形成された第２の金属薄膜層とを有して構成され、
リフレッシュモードでは、前記ＭＩＳ型センサに対して、ホールを前記光電変換層から前記第２の金属薄膜層に導く方向に電界を与え、
光電変換モードでは、前記ＭＩＳ型センサに対して、前記光電変換層に入射した放射線により発生したホールを当該光電変換層に留まらせてエレクトロンを前記第２の金属薄膜層に導く方向に電界を与え、
前記光電変換モードにより前記光電変換層に蓄積される前記ホールもしくは前記第２の金属薄膜層に導かれた前記エレクトロンを光信号として検出することを特徴とする請求項５に記載の放射線撮像装置。
【請求項７】
前記放射線検出素子は、放射線を吸収して直接電気信号に変換するヨウ化鉛、ヨウ化水銀、セレン、テルル化カドミウム、ガリウムヒ素、ガリウム燐、硫化亜鉛、シリコンのいずれかの材料からなるものであることを特徴とする請求項１又は２に記載の放射線撮像装置。
【請求項８】
被写体を透過した放射線を電気信号として検出する複数の放射線検出素子が配置された放射線検出手段と、
前記放射線検出素子に対して第１のエネルギーを有する放射線と当該第１のエネルギーとは異なる第２のエネルギーを有する放射線とを発生可能な放射線源と、
前記放射線検出手段で電気信号として検出された前記被写体の放射線画像を所定のフレームレートで複数フレームの連続した画像として撮影し、取得された画像の表示制御を行う画像表示制御手段と、
前記画像表示制御手段において取得された画像を表示する表示装置と
を有し、
前記画像表示制御手段は、前記複数フレームの連続した画像のうち、前記第１のエネルギーを有する放射線によって取得された第１の画像と前記第２のエネルギーを有する放射線によって取得された第２の画像とを用いてサブトラクション処理を施すことにより得られた処理画像と、前記第１の画像もしくは前記第２の画像のいずれかの画像と、を同期させて前記表示装置に表示させることを特徴とする放射線撮像システム。
【請求項９】
被写体を透過した放射線を電気信号として検出する放射線検出手段によって検出された複数フレームの連続した画像のうち、前記被写体を透過した第１のエネルギーを有する放射線によって取得された第１の画像と前記第１のエネルギーとは異なる第２のエネルギーを有する放射線によって取得された第２の画像とを用いてサブトラクション処理を施して処理画像を取得し、前記処理画像と、前記第１の画像もしくは前記第２の画像のいずれかの画像と、を同期させて表示装置に表示させることをコンピュータに実行させることを特徴とするコンピュータプログラム。
【手続補正３】
【補正対象書類名】明細書
【補正対象項目名】０００１
【補正方法】変更
【補正の内容】
【０００１】
【発明の属する技術分野】
本発明は、医療用の診断や工業用の非破壊検査に用いて好適な放射線撮像装置、放射線撮像システム及び当該放射線撮像装置での処理をコンピュータに実行させるコンピュータプログラムに関するものであって、特に、動画像を撮影するのに適した放射線撮像装置、放射線撮像システム及びコンピュータプログラムに関するものである。ここで、放射線とは、Ｘ線に限らずα線、β線、γ線などを含むものである。
【手続補正４】
【補正対象書類名】明細書
【補正対象項目名】００１２
【補正方法】変更
【補正の内容】
【００１２】
本発明は上述の問題点にかんがみてなされたもので、被写体を透過した放射線画像の撮影を行うときに、被写体の異常部位を強調して表示できるようにして、当該異常部位の検知率を向上させる放射線撮像装置、放射線撮像システム及びコンピュータプログラムを提供することを目的とする。
【手続補正５】
【補正対象書類名】明細書
【補正対象項目名】００１３
【補正方法】変更
【補正の内容】
【００１３】
【課題を解決するための手段】
本発明の放射線撮像装置は、被写体を透過した放射線を電気信号として検出する複数の放射線検出素子が配置された放射線検出手段と、前記放射線検出手段で電気信号として検出された前記被写体の放射線画像を所定のフレームレートで複数フレームの連続した画像として撮影し、前記複数フレームの連続した画像のうち、第１のエネルギーを有する放射線によって取得された第１の画像と前記第１のエネルギーと異なる第２のエネルギーを有する放射線によって取得された第２の画像とを用いてサブトラクション処理を施すことにより得られた処理画像と、前記第１の画像もしくは前記第２の画像のいずれかの画像と、を同期させて表示装置に表示させる画像表示制御手段とを有することを特徴とするものである。
本発明の放射線撮像システムは、被写体を透過した放射線を電気信号として検出する複数の放射線検出素子が配置された放射線検出手段と、前記放射線検出素子に対して第１のエネルギーを有する放射線と当該第１のエネルギーとは異なる第２のエネルギーを有する放射線とを発生可能な放射線源と、前記放射線検出手段で電気信号として検出された前記被写体の放射線画像を所定のフレームレートで複数フレームの連続した画像として撮影し、取得された画像の表示制御を行う画像表示制御手段と、前記画像表示制御手段において取得された画像を表示する表示装置とを有し、前記画像表示制御手段は、前記複数フレームの連続した画像のうち、前記第１のエネルギーを有する放射線によって取得された第１の画像と前記第２のエネルギーを有する放射線によって取得された第２の画像とを用いてサブトラクション処理を施すことにより得られた処理画像と、前記第１の画像もしくは前記第２の画像のいずれかの画像と、を同期させて前記表示装置に表示させることを特徴とするものである。
本発明のコンピュータプログラムは、被写体を透過した放射線を電気信号として検出する放射線検出手段によって検出された複数フレームの連続した画像のうち、前記被写体を透過した第１のエネルギーを有する放射線によって取得された第１の画像と前記第１のエネルギーとは異なる第２のエネルギーを有する放射線によって取得された第２の画像とを用いてサブトラクション処理を施して処理画像を取得し、前記処理画像と、前記第１の画像もしくは前記第２の画像のいずれかの画像と、を同期させて表示装置に表示させることをコンピュータに実行させることを特徴とするものである。
【手続補正６】
【補正対象書類名】明細書
【補正対象項目名】００８７
【補正方法】変更
【補正の内容】
【００８７】
【発明の効果】
本発明によれば、第１のエネルギーを有する放射線によって取得された第１の画像と、第１のエネルギーと異なる第２のエネルギーを有する放射線によって取得された第２の画像とを用いてサブトラクション処理を施すことにより、変化の度合いが大きい部分をそうでない部分に比べて、より黒く又はより白く強調して表示を行うことができるとともに、サブトラクション処理を施すことにより得られた処理画像と、サブトラクション処理を施していない原画像（第１の画像もしくは第２の画像のいずれかの画像）とを同期させながら表示装置の同一面に表示することにより、例えば、医師が診断を行うときに、変化の度合いが大きい部分を認識しながら双方の画像を比較して読影することができ、病巣等の異常部位の検知率を向上させることができる。